(57)【要約】【課題】  使用の際に腕部によってスケール部が擦れる構造でありながら、長年の使用に耐えることができ、スケール部に設けた目盛や数字が消えてしまうことがなく、且つ、スケール部に施された数字や目盛りが非常に鮮明な、耐久性に優れ、且つより目盛が読み取り易い構造の実用価値の高い木製の輪尺の提供。【解決手段】  立ち木の幹などの略円柱状の物体の直径を測定するための木製の輪尺であって、少なくとも、物体を挟んだ状態で互いに平行な位置関係となる構造を有する２本の腕部と、これらの腕部とスケール部とのなす角を直角とした状態で２本の腕部の間の距離を測定するためのスケール部とを有し、スケール部は、白色に彩色された表面上に目盛及び数字が印刷されており、且つその最表面に透明のポリウレタン塗膜からなるコーティング層がスケール部の全面にわたって設けられているホワイト輪尺。【選択図】  図１
0003105215.tif 000002
【実用新案登録請求の範囲】
【請求項１】
立ち木の幹などの略円柱状の物体の直径を測定するための木製の輪尺であって、少なくとも、上記物体を挟んだ状態で互いに平行な位置関係となる構造を有する２本の腕部と、これらの腕部とスケール部とのなす角を直角とした状態で２本の腕部の間の距離を測定するためのスケール部とを有し、該スケール部は、白色に彩色された表面上に目盛及び数字が印刷されており、且つその最表面に、透明のポリウレタン塗膜からなるコーティング層がスケール部の全面にわたって設けられていることを特徴とするホワイト輪尺。
【請求項２】
前記スケール部は、その表裏に印刷された目盛及び数字が施されており、一方の目盛りが括約目盛であり、且つ、これらの目盛及び数字がシルク印刷によって形成されている請求項１に記載のホワイト輪尺。
【請求項３】
前記２本の腕部は、その長尺方向に、前記スケール部の一部を内部に収納するための凹部が一部に設けられており、且つ、２本の腕部の各先端に、腕部の先端を互いにつき合わした状態で嵌着するための接続部材がそれぞれ設けられており、２本の腕部を回動させて、スケール部の一部に２本の腕部の凹部をそれぞれ被してスケール部の一部を内部に収納して、２本の腕部の先端部が向き合う状態として、各腕部に設けられている接続部材を嵌着することでスケール部と２本の腕部とが直線上に並んだ状態で一体化できる構造を有する請求項１又は２に記載のホワイト輪尺。
【考案の詳細な説明】
【技術分野】
【０００１】
本考案は、略円柱形状を有する物体の直径を測定するためのホワイト輪尺に関し、更に詳しくは、林業などにおいて、立ち木の幹などの胸高直径を測定する際に便利に使用できる木製の輪尺に関する。
【背景技術】
【０００２】
林業において目標とする森林を作るために行われる調査や、学術調査などで、立ち木の樹幹の胸高直径を測ることが行われているが、その際には、直径巻尺や輪尺が用いられている。特に、輪尺は、精度が高く正確な測定が容易にできるため、多様されている。輪尺には、木製、ステンレス製、アルミニウム製などのものがあるが、その中でも、木製の輪尺は、取り扱い易く、測定の際に強く押し当てた場合にも樹木の表面を傷めることがないため、樹幹の胸高直径を測る場合に、広く用いられている。
【０００３】
木製の輪尺は、通常、２本の腕部と、これらと組み合わされた腕部間の間隔を測定するためのスケール部とからなる。２本の腕部は、通常、一方がスケール部の一端に固定されており、もう一方がスケール部に沿って移動可能に形成されており、更に、樹幹を２本の腕部で挟んだ状態で、２本の腕部を互いに平行な位置関係とできるように構成されている。また、スケール部では、上記のようにして樹幹を挟んだ状態で、平行な位置関係にある２本の腕部の間隔を測定できる構造となっている。このため、スケール部の表面には、目盛及び各目盛りの幅を示す数字が施されており、図１に示したように、２本の腕部と一体に組み合わされている。そして、立ち木の樹幹の胸高直径は、上記した輪尺を利用し、胸の高さ位置（通常、１．２或いは１．３ｍ）で立ち木の樹幹を２本の腕部で挟み、これらの腕部が互いに平行となるようにして支えた状態で、２本の腕部の間隔をスケールに標された目盛を読むことで測定する。このようにして測定された立ち木の樹幹の胸高直径は、前記した種々の調査に利用されている。ここで、従来より用いられている木製輪尺は、そのスケール部が黄色に彩色されており、標されている目盛や数字は、木製のスケール部に彫り込むことでできた窪みにインキを入れたものであった。
【考案の開示】
【考案が解決しようとする課題】
【０００４】
しかしながら、先に述べたように、樹幹の胸高直径を測定する場合には、樹幹を２本の腕部で挟むが、その際にスケール部に沿って輪尺の腕部をスライドさせることが行われる。この動作が繰り返されると、スケール部と腕部とが擦れ合い、長年の使用によってスケールの目盛や表示されている数字が、彫り込まれたものでありながら擦れて不明瞭になることが起こり、場合によっては読み取ることが不可能なほど削れてしまうことがあった。
【０００５】
また、スケール部の地色は、目立つように或いは木製の色合いを保つために黄色に彩色されているが、森林の中は、昼間でも上空を覆う枝葉により薄暗く、また、夕方になれば暗闇で僅かな光を頼りとした作業になり、相対的に暗い環境で用いることが多い。そうした場合、黄色に彩色された地色のスケール部では、黒色で施されている目盛や数字の鮮明さに欠けることがあり、読み取るのに苦労する場合があった。
【０００６】
従って、本考案の目的は、立ち木の樹幹の胸高直径の測定作業において使用される木製の輪尺が、使用の際に腕部によってスケール部が擦れる構造でありながら、長年の使用に耐えることができ、スケール部に設けた目盛や数字が消えてしまうことがなく、且つ、スケール部に施された数字や目盛りが非常に鮮明な、耐久性に優れ、且つより目盛が読み取り易い構造の実用価値の高い木製のホワイト輪尺（以下、単に「輪尺」という）を提供することである。
【課題を解決するための手段】
【０００７】
上記の目的は以下の本考案によって解決される。即ち、本考案は、立ち木の幹などの略円柱状の物体の直径を測定するための木製の輪尺であって、少なくとも、上記物体を挟んだ状態で互いに平行な位置関係となる構造を有する２本の腕部と、これらの腕部とスケール部とのなす角を直角とした状態で２本の腕部の間の距離を測定するためのスケール部とを有し、該スケール部は、白色に彩色された表面上に目盛及び数字が印刷されており、且つその最表面に、透明のポリウレタン塗膜からなるコーティング層がスケール部の全面にわたって設けられていることを特徴とするホワイト輪尺である。
【考案の効果】
【０００８】
本考案の構成とすることによって、使用の際に腕部によってスケール部が擦れる構造でありながら、長年の使用によってもスケール部に設けた目盛や数字が消えてしまうことがなく、耐久に優れ経済的であり、且つスケール部に白地に黒色で施された数字及び目盛りは非常に鮮明となるため、立ち木の樹幹の胸高直径の測定作業において使用した場合に、従来のものよりも目盛を読み取り易く、実用価値の向上した木製の輪尺が提供される。
【考案を実施するための最良の形態】
【０００９】
次に、図面を参照して本考案を更に詳細に説明する。本考案の輪尺は、木製であるが、基本的には、図１に例示したように、数字及び目盛りが施されたスケール部３と、該スケール部３に組み合わされる２本の腕部１及び２からなる構造を有し、先に述べたようにして樹幹の胸高直径等を測定できるものである。勿論、スケール部３、腕部１及び２の形状は、図１に示したものに限定されない。以下、各部材について説明する。
【００１０】
本考案の輪尺は、樹幹の胸高直径等の略円柱形状を有する物体の直径を測定するためのものであるため、そのスケール部３は、対象とする樹幹等の太さを測定し得る適宜な長さを有するものであればよい。従って、例えば、測定対象によって選択できるように、直径３０ｃｍまでの樹幹用或いは直径５０ｃｍまでの樹幹用などとすることが好ましい。このためには、スケール部３を、少なくとも、これらの長さの目盛を設けることが可能な長尺の板で形成すればよい。更に、本考案の輪尺を構成するスケール部３は、このような長尺の板の表面が白色に彩色されており、該白色の地色の上に目盛及び数字が印刷によって施されており、且つその最表面に、透明のポリウレタン塗膜からなるコーティング層が全面にわたって設けられていることを特徴とする（図４参照）。
【００１１】
上記した構成を有するスケール部３は、以下のようにして製造することができる。先ず、将来に渡って割れや歪みの生じないスケール部を形成するのに適した木材を選択し、これから適当な長さ及び厚さの長尺の板を得る。そして、収納時に、腕部をスケール部に対して回動させて、後述するスケール部と２本の腕部とが直線上に並んだ状態で一体化できる構造にするため、得られた長尺の板の少なくとも２箇所の角を落としてある。更に、板の表面をサンドペーパーなどで研磨して滑らかにし、その後、該板の表面に、木工用のペンキなどの白色塗料を、刷毛やスプレーなど、或いはペンキ液中に板を浸漬させることで塗布して、板の表面を白色に彩色して下地とする。その際に用いられる塗料は、木製の板の表面を白色にできれば特に限定されず、木工用であれば水性塗料や油性塗料などいずれのものも用いることができる。
【００１２】
次に、上記のように白色に彩色されたスケール部３の上面に、目盛及び数字、更に必要に応じて文字を印刷する。この際、シルク印刷によって目盛及び数字を形成することが好ましい。シルク印刷は、インクの着肉量が多いため、白地の上に、太く、輪郭がくっきりとした目盛及び数字などを形成することができる。
【００１３】
更に、本考案の輪尺は、その最表面として、透明のポリウレタン塗膜からなるコーティング層が、スケール部の全面にわたって設けられている。コーティング層の形成に用いるポリウレタン塗料には、木材製品用の上塗塗料として用いられている２液型のポリウレタン塗料を用いることが好ましい。また、白色に彩色されたスケール部に黄変が生じることを防止するため、無黄変ポリイソシアネートを用いることが好ましい。かかる塗料によって形成されたコーティング層は、黄変することがないので、スケール部の白色の地色を保持することができ、しかも、耐久性、耐水性、耐溶剤性、付着性等に優れた堅牢な膜であるため、スケール部は、耐汚染性や耐久性に優れたものとなる。そのコーティング層の膜厚は、スケール部と腕部が擦れた場合にも、印刷された目盛や数字、更に、白色の下地が十分に保護される厚みであればいずれであってもよい。
【００１４】
次に、上記したスケール部３と一体となって本考案の輪尺を構成する、樹幹を挟んだ状態で互いに平行な位置関係となる構造を有する２本の腕部１及び２の好ましい形態について説明する。図１に示したように、腕部２は、一部に凹部を有しており、この凹部に上記したスケール部３の一方の先端部が収納された状態で、留め金具４によってスケール部３に取り付けられている。該金具４による取り付け状態は、該金具４を中心として腕部２が回動可能な状態にする。そして、留め金具４を中心として腕部２が回動できる範囲を、スケール部３と腕部２とが一部で重なって直線上に並んだ状態（図３参照）から、腕部２とスケール部３とのなす角が直角となる位置（図１の実線で記載した位置）までとなる構造とする。更に、該金具４による腕部２の取り付け位置は、図１に示したように、腕部２とスケール部３とのなす角が直角となった位置で、腕部２の長尺方向の端部が、スケール部３に標されている目盛の基点となる０（零）の位置と一致するようにする（図１参照）。
【００１５】
もう１本の腕部１は、図１に示したように、その一部に設けられた貫通した中空部分にスケール部３の端部を挿入することで、スケール部３が腕部１に貫通した状態となる構造を有している。そのため、腕部１は、図１に示したように、スケール３に沿って移動可能であり、腕部１はスケール部３とのなす角が直角になる構造である。中空部分の内側には、スケール部３の側面に接する位置にローラーが設けられている（図１参照）。図２に示したように、スケール部３の先端に取り付けられている上記腕部２との間に、樹幹などの物体を挟んだ状態で腕部１と２とが互いに平行な位置関係となることができる。該腕部１は、貫通した中空部分があるため、スケール部３から取り外すこともできる。また、腕部１は、腕部２と同様に、その長尺方向に、スケール部３の一部を、腕部内部に収納するための凹部が設けられており、スケール部３が挿入された状態で、スケール部３と腕部２とが一部で重なって直線上に並んだ状態となる位置まで回動させることができる構造になっている。
【００１６】
上記した構造の２本の腕部を回動させてスケール部と２本の腕部とのなす角を０°にすれば、輪尺を１枚の板状にすることができる。更に、２本の腕部１及び２の各先端に、腕部１及び２の先端を互いにつき合わした状態で嵌着するための接続部材をそれぞれ設けた構造とすれば、図３に示したように、本考案の輪尺は、スケール部と腕部とがコンパクトな形で固定される。この結果、輪尺を持っての森林内の移動が容易になる。
【００１７】
図２は、本考案の輪尺で立ち木の樹幹の直径を測っている状態を示す図である。腕部２をスケール部３とのなす角が直角になるようにし、腕部１をスケール部３に沿ってスライドさせて、樹幹の直径よりも余裕を持った位置に動かし、腕部２と腕部１との間に樹幹を挟む。そして、腕部１及び２がともに樹幹に接する状態となるようにして腕部１を支えて、図２に示したように、腕部１及び２と、スケール部３とのなす角がそれぞれ直角となるようにする。この状態で、腕部１及び２の間隔をスケール部３の目盛を読むことによって測定して、立ち木の樹幹の直径とする。
【００１８】
以上の構造を有する本考案の輪尺は、スケール部の地色が白色であるので、従来のものに比べ明度が高く、印刷された目盛や数字とのコントラストが高く、これらが鮮明に現れるので、薄暗い環境であっても目盛や数字が読み取り易くなる。この結果、樹幹などの直径を測定するという輪尺本来の機能が高まる。また、本考案の輪尺は、スケール部全面が、耐久性及び耐汚染性の高いポリウレタン塗料でコーティングされているため、シルク印刷などによって印刷された目盛及び数字、更には白い地色が有効に保護される。この結果、立ち木の樹幹などの胸高直径の測定作業などにおいて、スケール部が汚れることがなく、また、長年の使用によっても輪尺の腕部でスケール部が擦れて目盛や数字が消えてしまうことがなく、耐久性及び経済性に優れた輪尺となる。更に、本考案の輪尺は、２本の腕部とスケール部とを図３に示したコンパクトな状態とできるため、持ち運びに便利である。
【産業上の利用可能性】
【００１９】
本考案によれば、腕部でスケール部が擦れて、目盛や数字が消えてしまうことがなく耐久性に優れ、しかも目盛りや数字が鮮明であり、薄暗い環境においても目盛の読み取りが容易であり、持ち運びにも便利な、経済的で実用価値の高い木製の輪尺が提供される。
【図面の簡単な説明】
【００２０】
【図１】本考案に用いる輪尺の構成を説明するための図である。
【図２】本考案に用いる輪尺の構成を説明するための図である。
【図３】本考案に用いる輪尺の構成を説明するための図である。
【図４】本考案の輪尺を構成するスケール部の断面図である。
【符号の説明】
【００２１】
１：腕部
２：腕部
３：スケール
４：留め金具
【図１】
0003105215.tif 000003
【図２】
0003105215.tif 000004
【図３】
0003105215.tif 000005
【図４】
0003105215.tif 000006